【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
第１の方向に配列された複数のレンズを含み、前記第１の方向に平行な第１の断面内において物体の中間像を形成する第１のレンズアレイと、
前記第１の方向に配列された複数のレンズを含み、前記第１の断面内において前記物体の中間像を再結像する第２のレンズアレイと、
前記第１及び第２のレンズアレイにおける隣接するレンズの光軸同士の間に配置される遮光部材と、を備え、
前記第１及び第２のレンズアレイの少なくとも一方は、隣接するレンズ面同士の間に散乱部又は吸光部を有しており、
前記散乱部又は吸光部の前記第１の方向における幅は、前記遮光部材の前記第１の方向における幅よりも大きいことを特徴とする結像光学系。
【請求項２】
第１の方向及び該第１の方向に垂直な第２の方向に配列された複数のレンズを含み、前記第１の方向に平行な第１の断面内において物体の中間像を形成する第１のレンズアレイと、
前記第１及び第２の方向に配列された複数のレンズを含み、前記第１の断面内において前記物体の中間像を再結像する第２のレンズアレイと、
前記第１及び第２のレンズアレイにおける隣接するレンズの光軸同士の間に配置される遮光部材と、を備え、
前記第１及び第２のレンズアレイの少なくとも一方は、隣接するレンズ面同士の間に散乱部又は吸光部を有しており、
前記散乱部又は吸光部の前記第２の方向における幅は、前記遮光部材の前記第２の方向における幅よりも大きいことを特徴とする結像光学系。
【請求項３】
前記第１及び第２のレンズアレイのそれぞれは、前記第１の方向及び前記第１の方向に垂直な第２の方向に配列された複数のレンズを含み、
前記散乱部又は吸光部の前記第２の方向における幅は、前記遮光部材の前記第２の方向における幅よりも大きいことを特徴とする請求項１に記載の結像光学系。
【請求項４】
前記第１の方向において前記結像光学系が位置決めされている部分から最も離間した前記結像光学系の部分までの距離をΔＬ、前記結像光学系が位置決めされたときの温度と前記結像光学系が使用されているときの温度との差をΔＴ、前記第１のレンズアレイの線膨張係数と前記遮光部材を位置決めしている部材の線膨張係数との差の絶対値、及び前記第２のレンズアレイの線膨張係数と前記遮光部材を位置決めしている部材の線膨張係数との差の絶対値、のうちの大きい方をΔＸ、前記第１の方向における前記散乱部又は吸光部の幅と前記遮光部材の幅との差をΔＷ、とするとき、
ΔＬ×ΔＴ×ΔＸ≦ΔＷ／２
なる条件を満たすことを特徴とする請求項１乃至３の何れか一項に記載の結像光学系。
【請求項５】
前記遮光部材は、前記第１のレンズアレイと前記第２のレンズアレイとの間に配置されており、前記散乱部又は吸光部の前記第１の方向における幅をＢｍ、前記遮光部材の前記第１の方向における幅をＴｍ、前記第１及び第２のレンズアレイの配列周期をＰ、前記遮光部材の前記光軸の方向の長さをＬｓ、前記第１のレンズアレイと前記第２のレンズアレイとの対向するレンズ面間の前記光軸の方向における最長の距離をＬｍａｘ、とするとき、
Ｂｍ＋Ｔｍ≧Ｐ×（１−（Ｌｓ／Ｌｍａｘ））
なる条件を満たすことを特徴とする請求項１乃至４の何れか一項に記載の結像光学系。
【請求項６】
前記遮光部材の前記光軸の方向の長さは、前記第１のレンズアレイと前記第２のレンズアレイとの対向するレンズ面間の前記光軸の方向における最短距離よりも小さいことを特徴とする請求項１乃至５の何れか一項に記載の結像光学系。
【請求項７】
前記第１のレンズアレイの線膨張係数と前記遮光部材を位置決めしている部材の線膨張係数との差の絶対値、及び前記第２のレンズアレイの線膨張係数と前記遮光部材を位置決めしている部材の線膨張係数との差の絶対値、のうちの大きい方をΔＸ、前記第１の方向における前記散乱部又は吸光部の幅と前記遮光部材の幅との差をΔＷ、とするとき、
１０５ｍｍ×３０℃×ΔＸ≦ΔＷ／２
なる条件を満たすことを特徴とする請求項１乃至６の何れか一項に記載の結像光学系。
【請求項８】
前記遮光部材は、前記第１のレンズアレイよりも物体側の位置及び前記第２のレンズアレイよりも像側の位置の少なくとも一方に配置されていることを特徴とする請求項１乃至７の何れか一項に記載の結像光学系。
【請求項９】
前記第１及び第２のレンズアレイの少なくとも一方は、隣接するレンズ面同士の間に散乱部を有していることを特徴とする請求項１乃至８の何れか一項に記載の結像光学系。
【請求項１０】
前記散乱部は、複数のプリズムを含むことを特徴とする請求項９に記載の結像光学系。
【請求項１１】
前記散乱部における両端のプリズムの稜線の間の距離をＢｅとするとき、
Ｔｍ≧Ｂｅ
なる条件を満たすことを特徴とする請求項１０に記載の結像光学系。
【請求項１２】
請求項１乃至１１の何れか１項に記載の結像光学系と、該結像光学系により感光面上に形成された静電潜像をトナー像として現像する現像器と、該現像されたトナー像を被転写材に転写する転写器と、該転写されたトナー像を前記被転写材に定着させる定着器と、を備えることを特徴とする画像形成装置。
【請求項１３】
請求項１乃至１１の何れか１項に記載の結像光学系と、該結像光学系により集光された原稿からの光を受光する受光部と、を備えることを特徴とする画像読取装置。
【手続補正２】
【補正対象書類名】明細書
【補正対象項目名】発明の名称
【補正方法】変更
【補正の内容】
【発明の名称】結像光学系及びそれを備える画像形成装置及び画像読取装置
【手続補正３】
【補正対象書類名】明細書
【補正対象項目名】０００１
【補正方法】変更
【補正の内容】
【０００１】
本発明は、結像光学系に関し、例えば画像形成装置や画像読取装置に用いられるレンズアレイ光学系に好適である。
【手続補正４】
【補正対象書類名】明細書
【補正対象項目名】０００７
【補正方法】変更
【補正の内容】
【０００７】
そこで、本発明は、結像光束の遮光やゴースト光の発生を抑制することができる結像光学系を提供することを目的とする。
【手続補正５】
【補正対象書類名】明細書
【補正対象項目名】０００８
【補正方法】変更
【補正の内容】
【０００８】
上記目的を達成するための、本発明の一側面としての結像光学系は、第１の方向に配列された複数のレンズを含み、第１の方向に平行な第１の断面内において物体の中間像を形成する第１のレンズアレイと、第１の方向に配列された複数のレンズを含み、第１の断面内において物体の中間像を再結像する第２のレンズアレイと、第１及び第２のレンズアレイにおける隣接するレンズの光軸同士の間に配置される遮光部材と、を備え、第１及び第２のレンズアレイの少なくとも一方は、隣接するレンズ面同士の間に散乱部又は吸光部を有しており、散乱部又は吸光部の第１の方向における幅は、遮光部材の第１の方向における幅よりも大きいことを特徴とする。
本発明の更なる目的又はその他の特徴は、以下、添付の図面を参照して説明される好ましい実施形態によって明らかにされる。
【手続補正６】
【補正対象書類名】明細書
【補正対象項目名】０００９
【補正方法】変更
【補正の内容】
【０００９】
本発明によれば、結像光学系において、製造時の配置誤差や環境温度変動に起因するレンズアレイと遮光部材の相対的な位置変動による、結像光束の遮光やゴースト光の発生、およびレンズ面間に設ける散乱部の特徴的な形状によるゴースト光の発生を抑制することができる。
【手続補正７】
【補正対象書類名】明細書
【補正対象項目名】００１９
【補正方法】変更
【補正の内容】
【００１９】
レンズアレイ光学系の一部１０２ａは、互いに整合するように配置された、第１のレンズ１０７ａ、遮光部材１０８の一部、及び第２のレンズ１０９ａを含んでいる。第１のレンズ１０７ａ及び第２のレンズ１０９ａの光軸に垂直な断面は矩形形状となっている。第１のレンズ１０７ａの光源１０１側の面（以下、Ｇ１Ｒ１面と称する。）と第２のレンズ１０９ａの感光部１０３側の面（以下、Ｇ２Ｒ２面と称する。）の有効径は０．７６ｍｍである。一方で、第１のレンズ１０７ａの遮光部材１０８側の面（以下、Ｇ１Ｒ２面と称する。）と第２のレンズ１０９ａの遮光部材１０８側の面（以下、Ｇ２Ｒ１面と称する。）の有効径は０．６９ｍｍである。すなわち、レンズの各面毎に有効径が異なる。
なお、隣接するレンズ面同士の間には散乱部が設けられている。具体的には、第１のレンズ１０７ａのＧ１Ｒ２面と不図示の隣接する第１のレンズのＧ１Ｒ２面の間には散乱部１１０が設けられている。同様に、第２のレンズ１０９ａのＧ２Ｒ１面と不図示の隣接する第２のレンズのＧ２Ｒ１面同士の間にも散乱部１１０が設けられている。本実施形態の遮光部材１０８は、レンズアレイを構成するレンズの数に対応する光軸方向に貫通する複数の開口を有し、隣接する開口の間の遮光壁は、隣接するレンズの光軸の間に位置し、散乱部１１０に整合するように配置されている。
遮光部材１０８は、主配列断面内において隣接するレンズの光軸同士の間に配置されている。
なお、遮光部材１０８は、主配列方向に延在するフレームに遮光板を一定間隔で差し込んで固定し、主配列方向における位置を画定するように構成されていてもよい。
第１のレンズ１０７ａ、１０７ｂ、…、及び第２のレンズ１０９ａ、１０９ｂ、…、はそれぞれ結合し、レンズアレイ１０７、１０９を形成している。
【手続補正８】
【補正対象書類名】明細書
【補正対象項目名】００４９
【補正方法】変更
【補正の内容】
【００４９】
ここで、ΔＬは、レンズアレイ光学系１０２において、レンズアレイ１０７、１０９及び遮光部材１０８が位置決めされている場所から最も離間した位置までの距離である。換言すると、ΔＬは、主配列方向においてレンズアレイ光学系１０２が位置決めされている部分から最も離間したレンズアレイ光学系１０２の部分までの距離である。また、遮光部材１０８の最も離間した位置とは、遮光部材１０８において、遮光部材として機能している部分内の最も離間した位置である。
ΔＴは、レンズアレイ１０７、１０９及び遮光部材１０８が位置決めされた時の温度と、レンズアレイ光学系１０２が使用されているときの温度との差である。換言すると、ΔＴは、レンズアレイ光学系１０２が位置決めされたときの温度とレンズアレイ光学系１０２が使用されているときの温度との差である。
ΔＸは、レンズアレイ１０７の線膨張係数と遮光部材１０８の主配列方向及び副配列方向における位置を画定している（すなわち、位置決めしている）部材の線膨張係数との差の絶対値、及びレンズアレイ１０９の線膨張係数と遮光部材１０８の主配列方向及び副配列方向における位置を画定している（すなわち、位置決めしている）部材の線膨張係数との差の絶対値のうちの大きい方の値である。
ΔＷは、主配列方向における隣接するレンズ間に沿った散乱部１１０の幅Ｂｍと、主配列方向における隣接するレンズ間に沿った遮光部材１０８の幅Ｔｍとの差（Ｂｍ―Ｔｍ）である。
【手続補正９】
【補正対象書類名】明細書
【補正対象項目名】００７６
【補正方法】変更
【補正の内容】
【００７６】
Ｂｍは主配列方向における散乱部１１０の幅、Ｔｍは主配列方向における遮光部材１０８の幅である。また、Ｂｅは、散乱部１１０において、両端のプリズムの稜線の間の距離である。すなわち、散乱部１１０に形成されるプリズム稜線は、幅Ｂｅ内にのみ含まれることを意味している。